(57)【要約】  電力を蛍光灯に供給する電源回路を制御するＩＣは、駆動信号を電源回路に供給するように動作する安定器制御部分と、ＩＣに集積され、調光信号を安定器制御部分に供給するように動作する増幅器部分とを含んでいる。安定器制御部分は、電源回路を駆動して、調光信号に基づいて蛍光灯の調光を施す。別の実施形態において、電力を蛍光灯に供給する電源回路を制御するＩＣは、駆動信号を電源回路に供給するように動作する安定器制御部分と、ＩＣに集積される増幅器部分とを含み、安定器制御部分は、駆動信号を電源回路に供給し、前記蛍光灯の電流を表わす電流検知信号を受信し、電流検知信号に応答して駆動信号を変更する。【選択図】      図２
2009512165.tif 000002
【特許請求の範囲】
【請求項１】
電力を蛍光灯に供給する電源回路を制御するＩＣであって、
駆動信号を前記電源回路に供給するように動作する安定器制御部と、
前記ＩＣに集積され、調光信号を前記安定器制御部分に供給するように動作する増幅器部とを備え、
前記安定器制御部分は、前記電源回路を駆動し、前記調光信号に基づいて、前記ランプを調光するようになっているＩＣ。
【請求項２】
前記安定器制御部分は、前記駆動信号を前記電源回路に供給し、前記ランプの電流を示す電流検知信号を受信し、かつ前記電流検知信号に応答して、前記駆動信号を変更するようになっている請求項１に記載のＩＣ。
【請求項３】
前記安定器制御部分は、前記電流検知信号を受信し、かつ前記ランプを通る電流が故障を示す場合に、検出信号を供給し、前記検出信号に応答して、前記駆動回路が前記駆動信号を供給するのを中止させる故障検出回路を、さらに備える請求項２に記載のＩＣ。
【請求項４】
前記故障検出回路は、前記ランプが寿命末期に達する場合に、前記検出信号を供給するように動作する寿命末期検出回路をさらに備える請求項３に記載のＩＣ。
【請求項５】
前記増幅器部分は、反転入力、非反転入力、および出力を含む演算増幅器をさらに備える請求項４に記載のＩＣ。
【請求項６】
前記演算増幅器の反転入力に接続されるＩＮＶピンと、
前記演算増幅器の前記非反転入力に接続されるＮＩＮＶピンと、
前記演算増幅器の前記出力に接続されるＯＵＴピンとをさらに備え、
これにより、前記演算増幅器の前記反転入力、非反転入力、および出力は、前記ＩＣの外部からアクセスすることができるようになっている請求項５に記載のＩＣ。
【請求項７】
前記非反転入力は、調光情報を調光装置から受信し、前記反転入力は、前記電源回路を通る電流を表わす電源電流信号を受信し、前記演算増幅器の出力は、前記調光情報および電源電流信号に基づいて、前記調光信号を前記ＩＣに供給するようになっている請求項６に記載のＩＣ。
【請求項８】
前記調光信号は、前記安定器制御部分が、前記調光入力が前記電源電流信号よりも小さい場合に、前記ランプを調光するべく、前記電源回路を制御することを示すようになっている請求項７に記載のＩＣ。
【請求項９】
電力を蛍光灯に供給する電源回路を制御するＩＣであって、
駆動信号を前記電源回路に供給するように動作する安定器制御部分と、
前記ＩＣに集積される増幅器部分とを備え、
前記安定器制御部分は、前記駆動信号を電源回路に供給し、前記ランプの電流を表わす電流検知信号を受信し、かつ前記電流検知信号に応答して、前記駆動信号を変更するようになっているＩＣ。
【請求項１０】
前記安定器制御部分は、前記電流検知信号を受信し、かつ前記ランプを通る電流が故障を示す場合に、検出信号を供給し、かつ前記検出信号に応答して、前記駆動回路が前記駆動信号を供給するのを中止させる故障検出回路を、さらに備える請求項９に記載のＩＣ。
【請求項１１】
前記故障検出回路は、前記ランプが寿命末期に達した場合に、前記検出信号を供給するように動作する寿命末期検出回路を、さらに備える請求項１０に記載のＩＣ。
【請求項１２】
前記増幅器部分は、調光信号を前記安定器制御部分に供給するように動作し、前記安定器制御部分は、前記電源回路を駆動し、前記調光信号に基づいて、前記ランプを調光させるようになっている請求項１１に記載のＩＣ。
【請求項１３】
前記増幅器部分は、反転入力、非反転入力、および出力を含む演算増幅器をさらに備える請求項１２に記載のＩＣ。
【請求項１４】
前記演算増幅器の反転入力に接続されているＩＮＶピンと、
前記演算増幅器の非反転入力に接続されているＮＩＮＶピンと、
前記演算増幅器の出力に接続されているＯＵＴピンとをさらに備え、
これにより、前記演算増幅器の前記反転入力、前記非反転入力、および前記出力は、前記ＩＣの外部からアクセスすることができるようになっている請求項１３に記載のＩＣ。
【請求項１５】
前記非反転入力は、調光情報を調光装置から受信し、前記反転入力は、前記電源回路を通る電流を表わす電源電流信号を受信し、前記演算増幅器の前記出力は、前記調光情報および前記電源電流信号に基づいて、前記調光信号をＩＣに供給するようになっている請求項１４に記載のＩＣ。
【請求項１６】
前記調光信号は、前記安定器制御部分が、前記調光入力が前記電源電流信号よりも小さい場合に、前記ランプを調光するべく、前記電源回路を制御することを示すようになっている請求項１５に記載のＩＣ。
【発明の詳細な説明】
【技術分野】
【０００１】
本出願は、２００５年１０月１２日付出願の「調光安定器制御ＩＣ」という発明の名称の米国仮特許願第６０／７２５７０７号に関連するものである。
【０００２】
本発明は、蛍光灯を駆動する安定器制御ＩＣ、より詳細には、演算増幅器が組み込まれている安定器制御ＩＣに関する。
【背景技術】
【０００３】
ガス放電回路用の電子安定器が広範に使用されるようになり、少なくともある程度、電力ＭＯＳＦＥＴスイッチング素子、および絶縁ゲートバイポーラトランジスタ（ＩＧＢＴ）を利用して、前に用いた電力バイポーラスイッチング素子を置き換えることができる。
【０００４】
多くの集積回路が、電子安定器の電力ＭＯＳＦＥＴ、またはＩＧＢＴのゲートを駆動するために工夫されている。そのいくつかの例としては、本出願の譲受人であるインターナショナル・レクティファイアー社（Ｉｎｔｅｒｎａｔｉｏｎａｌ  Ｒｅｃｔｉｆｉｅｒ  Ｃｏｒｐｏｒａｔｉｏｎ）によって販売されている製品ＩＲ２１５５、ＩＲ２１５７、ＩＲ２１５７１、およびＩＲ２１６７がある。これらの製品については、特許文献１および特許文献２に記載され、それらの開示は、参照用として、本明細書に組み込まれるものとする。
【特許文献１】米国特許第５５４５９５５号公報
【特許文献２】米国特許第６２１１６２３号公報
【発明の開示】
【発明が解決しようとする課題】
【０００５】
電子安定器で有用である機能の１つは、蛍光灯を調光する能力である。この機能を含むＩＣ制御回路が導入されているが、この回路は、安定器制御を達成する非常に特定の手段を提供するだけである。すなわち、これらの従来の制御ＩＣは、柔軟性に欠けている。例えば、本譲受人、インターナショナル・レクティファイアー社の別の製品ＩＲ２１５９２は、蛍光灯の調光を、位相制御調整によって行うようになっている。この解決法は、十分な調光を行うことはできるが、ＩＣの機能は限定されたままである。
【０００６】
従って、例えば、調光または他の機能を施すために、ＩＣに直接集積される演算増幅器を備えていることによって、機能を増強化させ、かつ柔軟性を増大させた安定器用の制御ＩＣを提供することは望ましいことである。
【課題を解決するための手段】
【０００７】
本発明の目的は、機能を増強させた電子安定器を提供することである。
【０００８】
本発明の一実施形態である、電力を蛍光灯に供給する電源回路を制御するＩＣは、駆動信号を電源回路に供給するように動作する安定器制御部分と、ＩＣに集積され、調光信号を安定器制御部分に供給するように動作する増幅器部分とを含んでいる。安定器制御部分は、電源回路を駆動し、調光信号に基づいて、蛍光灯を調光する。
【０００９】
本発明の別の実施形態による、電力を蛍光灯に供給する電源回路を制御するＩＣは、駆動信号を電源回路に供給するように動作する安定器制御部分と、ＩＣに集積される増幅器部分とを含んでいる。安定器制御部分は、駆動信号を電源回路に供給し、前記蛍光灯の電流を表わす電流検知信号を受信し、電流検知信号に応答して、駆動信号を変更する。
【００１０】
本発明の他の特徴および利点については、添付図面に基づく本発明の以下の説明により、明らかにする。
【発明を実施するための最良の形態】
【００１１】
図１は、本発明の一実施形態としての安定器制御ＩＣの典型的な例を示す。
【００１２】
図１の回路１０は、本発明の回路が適用されるのが好ましい安定器制御ＩＣ１２のピンおよび外部接続を示す。図示のように、安定器制御回路１２は、出願人であるインターナショナル・レクティファイアー社の製品である、ＩＣ  ＩＲＳ２１５８Ｄとしてある。
【００１３】
図示のように、ＩＲＳ２１５８Ｄは、電力をランプ１４に供給する電力ＭＯＳＦＥＴ  ＭＨＳおよびＭＬＳによって形成されるハーフブリッジを駆動するために使用されることが好ましい。
【００１４】
通常、本発明の安定器制御ＩＣ１２は、２つの部分を有する。その第１部分は、ハーフブリッジを駆動するために必要なすべての機能を備える安定器制御部分１２ａである。図２に示すように、安定器制御ＩＣ１２は、安定器制御ＩＣ１２のダイに直接埋め込まれている独立した演算増幅器を備える増幅器部分１２ｂを、さらに含んでいる。
【００１５】
図示のように、演算増幅器の入力および出力に容易にアクセスすることができるように、ＩＣ１２のピンＩＮＶ、ＮＩＮＶ、およびＯＵＴは、演算増幅器２２の反転入力、非反転入力、および出力に、それぞれ接続されている。
【００１６】
安定器制御ＩＣ１２の安定器制御部分１２ａは、出願人の安定器制御ＩＣ  ＩＲＳ２１６８Ｄの安定器制御部分とほぼ同じように動作する。このＩＣは、「ＰＦＣおよび安定器制御ＩＣ」という発明の名称の２００５年４月８日に提出の同時係属出願の米国特許出願１１／１０２６０３号に詳細に記載されており、この出願の全内容は、参照用として、本明細書に組み込まれる。
【００１７】
本出願の図１に示す安定器制御ＩＣ１２は、ＩＲＳ２１６８Ｄのように集積された力率補正（ＰＦＣ）を含まないが、このような力率補正は、必要に応じて、容易に外部に追加できる。
【００１８】
安定器制御ＩＣのピンＩＮＶ、ＮＩＮＶ、およびＯＵＴ（ピン番号４、５、および６）が、図２に示すように、独立した演算増幅器２２の反転入力、非反転入力、および出力とそれぞれ一致するように、安定器制御ＩＣ１２の増幅器部分１２ｂは、安定器制御ＩＣ１２のダイに直接集積される。
【００１９】
安定器制御ＩＣ１２は、５つのモードで動作する。これらのモードにつき、図３を参照して詳細に説明する。
【００２０】
アンダー電圧ロックアウトモード（ＵＶＬＯ）
アンダー電圧ロックアウトモード（ＵＶＬＯ）は、論理電源電圧ＶCCがＩＣのターンオン閾値未満である場合に、安定器制御ＩＣ１２は、インである状態として定義される。ＩＣのさまざまなモードを確認するために、図３に示す状態図を参照する。安定器制御ＩＣ１２のアンダー電圧ロックアウトは、５００μＡ未満の超低供給電流を維持し、かつ上側および下側出力ドライバー（図２参照）が作動させられる前に、ＩＣは完全に機能することを保証するように設計されている。
【００２１】
図６は、ハーフブリッジ出力（ＲVCC１、ＣVCC1、ＣVCC2、ＣSNUB、ＤCP1、およびＤCP2）からのスナバ電荷ポンプとともに、制御ＩＣ１２のマイクロパワー起動電流を用いる効率的な電圧源を示す。
【００２２】
ＶＣＣコンデンサ（ＣVCC1およびＣVCC2）は、供給抵抗（ＲVCC）を通る電流マイナス安定器制御ＩＣ１２によって引き込まれる起動電流によって充電される。この抵抗は、安定器に対する所望のＡＣライン入力電圧ターンオン閾値を設定するように選ばれる。
【００２３】
ＶＣＣの電圧が、ＩＣ起動閾値（ＵＶＬＯ＋またはＶＣＣＵＶ＋）を超え、かつＳＤピンが、４．５ボルト未満である場合に、ＩＣはオンになり、ＬОは発振し始める。ＶＣＣにおけるコンデンサは、ＩＣ動作電流の増加に因って放電し始める（図７参照）。
【００２４】
コンデンサＣBSが、各ＬОスイッチングサイクルのＬОオンタイム中に内部ブーストラップＭＯＳＦＥＴ２４（図２参照）を通して充電されると、上側電源電圧ＶＢ-ＶＳは増大し始める。ＶＢ-ＶＳ電圧が、上側起動閾値（ＵＶＢＳ＋またはＶＢＳＵＶ＋）を超える場合に、ＨＯは発振し始める。内部ブーストラップＭＯＳＦＥＴ２４のＲＤＳオンによって、ＶＢ-ＶＳをＶＢＳＵＶ＋を超えて充電するために、数サイクルのＬОを必要とする。
【００２５】
ＬОおよびＨＯが、両方とも発振している場合、ハーフブリッジの外部ＭＯＳＦＥＴ（ＭＨＳおよびＭＬＳ）は、５０％デューティサイクル、および１．６μｓの非オーバーラップむだ時間で、オンオフされる。ハーフブリッジ出力（ピンＶＳ）は、ＤＣバス電圧とＣＯＭとの間で切り換わり始める。
【００２６】
ＬОのターンオフとＨＯのターンオンとの間のむだ時間中に、ハーフブリッジ出力電圧は、ＣＯＭからＤＣバス電圧へ、スナバコンデンサ（ＣSNUB）によって決定される速度ｄｖ／ｄｔで変化する。スナバコンデンサが充電するにつれて、電流は、電荷ポンプダイオード（ＤCP2）を通ってＶＣＣへ流れる。
【００２７】
ハーフブリッジ出力のいくつかのスイッチングサイクルの後、ＩＣの電荷ポンプおよび内部１５．４Ｖツェナークランプは電源電圧を継ぐ。コンデンサＣVCC2は、ＩＣ電流をＶＣＣ放電時間中に供給し、電荷ポンプが引き継ぐ前に、ＶＣＣがＵＶＬＯ-（ＶＣＣＵＶ-）未満に低下しないほど十分に大きくなければならない。
【００２８】
コンデンサＣVCC1は、雑音除去用に設けられ、ＶＣＣとＣＯＭとの間に出来るだけ近接して配置され、０．１μＦ未満であってはならない。抵抗Ｒ1およびＲ2は、ハーフブリッジのハードスイッチング中またはランプイグニション中に電荷ポンプからＶＣＣへ流れることができる、高電流を制限するために推奨される。
【００２９】
内部ブーストラップＭＯＳＦＥＴ２４、および供給コンデンサ（ＣBS）は、上側ドライバー回路用の電源電圧を構成する。ＵＶＬＯモード中に、上側および下側ドライバー出力ＬОおよびＨＯは、両方とも低く、内部発振器は動作不能であり、ピンＣＰＨは、予熱時間をリセットするために、ＣＯＭに内部で接続される。
【００３０】
予熱モード（ＰＨ）
ＶＣＣが、ＵＶＬＯプラス方向に向かう閾値（ＵＶＬＯ＋／ＶＣＣＵＶ＋）を超えた場合、制御ＩＣ１２は予熱モードに入る。ピンＣＰＨを、ＣＯＭに接続する内部ＭＯＳＦＥＴ２６（図２参照）はオフにされ、外部抵抗ＲCPH（図８）は、外部予熱タイミングコンデンサ（ＣPH）を充電し始める。ＬОおよびＨＯは、より高いソフト起動周波数で発振し始め、予熱周波数に急速に下降する。
【００３１】
ＶＣＯピンは、内部ＭＯＳＦＥＴ  Ｍ１（図８参照）を通してＣＯＭに接続され、そのようにして、予熱周波数は、抵抗ＲFMINおよびＲCPHの並列組み合わせによって形成されるＦＭＩＮピンにおける等価抵抗によって決定される。ピンＣＰＨにおける電圧が２／３*ＶＣＣを超え、ＩＣがイグニションモードに入るまで、周波数は予熱周波数のままである。予熱モード中に、ピンＣＳにおける過電流および６０サイクル連続過電流故障カウンターは、両方とも動作可能である。
【００３２】
イグニションモード（ＩＧＮ）
安定器制御ＩＣ１２のイグニションモードは、１／３*ＶＣＣから２／３*ＶＣＣへ充電する２度目のＣＰＨによって定義される。ピンＣＰＨの電圧が、２／３*ＶＣＣを始めて超える場合に、ピンＣＰＨは、内部ＭＯＳＦＥＴを通して急速に放電されて１／３*ＶＣＣに低下する（図９および図１０参照）。
【００３３】
内部ＭＯＳＦＥＴは、オフになり、ピンＣＰＨの電圧は再び増大し始める。ピンＶＣＯにおける内部ＭＯＳＦＥＴ  Ｍ１は、オフになり、抵抗ＲPHは、ＣＯＭから切り離される。ＦＭＩＮピンにおける等価抵抗は、並列の組み合わせ（ＲPH‖ＲFMIN）からＲFMINへ、ピンＶＣＯにおける外部コンデンサ（ＣVCO）および抵抗ＲPHによってプログラムされる速度で増大する。これは、予熱周波数からイグニション周波数を経由して、最終的に以下に説明する調光周波数へスムーズに低下する動作周波数を生じる。このイグニションランプ中に、周波数は、ランプ出力段の共振周波数を通って掃引して、ランプ１４を点弧する。
【００３４】
ピンＣＳにおける過電流閾値は、安定器を、非点弧または開放フィラメントランプ故障状態に対して保護する。ピンＣＳの電圧は、外部電流検知抵抗ＲＣＳを通して流れる下部ハーフブリッジＭＯＳＦＥＴ電流によって規定される。この抵抗は、安定器出力段の最大ピークイグニション電流（ひいてはピークイグニション電圧）をプログラムする。この電圧が、１．２５Ｖの内部閾値を超えると、イグニション調整回路は、ＶＣＯ電圧を少し放電して、周波数を少し増大させる（図１１参照）。
【００３５】
ＣＳピンからＶＣＯピンへのこのサイクルごとのフィードバックは、周波数をサイクルごとに調整し、イグニションモードの全期間にわたって、電流の大きさを制限する。ＣＰＨが２度目に２／３*ＶＣＣを超える場合に、ＩＣ１２は、調光モードに入り、故障カウンターは動作可能になる。イグニション調整は、調光モードにおいて引き続き動作しているが、ＩＣは６０連続過電流故障後に故障モードに入り、ゲートドライバー出力ＨＯ、ＬОは、以下に説明するように低くラッチされる。
【００３６】
調光モード（ＤＩＭ）
ＶＣＣが、２度目に２／３*ＶＣＣを超えるとすぐに、ＩＣは、調光モードに入る。ＣＰＨは、ＶＣＣまで充電し続ける。動作周波数は（イグニションランプ後に）最小周波数であり、ＦＭＩＮピンにおける外部抵抗（ＲFMIN）、およびＶＣＯピンにおける外部コンデンサＣVCOによってプログラムされる。周波数は最小であり、ランプ電流は、ピンＶＣＯが２ボルトである場合に最大である。
【００３７】
ランプ１４を調光するには、安定器制御ＩＣ１２の増幅器部分１２ｂを使用するのがよい。調光入力は、調光装置１８（図１参照）によって供給され、ＩＣ１２のピンＮＩＮＶを経由して、演算増幅器２２（図２参照）の非反転入力で受信される。ランプ電流を示す信号は、電流検知抵抗ＲＣＳからピンＩＮＶを経由して、演算増幅器２２の反転入力に供給される。
【００３８】
ランプ電流信号が調光入力よりも小さい場合に、ピンＯＵＴに供給される演算増幅器２２の出力は増大する。ＲFMINおよびＲOUTによって提供される等価並列抵抗もまた増大し、これは、周波数を低下させ、ランプ電流を増大させる。反対に、ランプ電流信号が調光入力よりも大きい場合に、ピンＯＵＴにおける演算増幅器２２の出力は低下する。
【００３９】
ＲFMINおよびＲOUTによって提供される等価並列抵抗もまた減少し、これは、周波数を増大させ、ランプ電流を減少させる。最小調光周波数は、抵抗ＲFMINの値によって設定される。最大調光周波数は、ＲFMIN‖ＲOUTの値によって決定される。この最小周波数および最大周波数は、十分な余裕を以って設定する必要があり、これにより、演算増幅器２２を含む制御ループは、ランプ電流を所望の最小および最大レベルに調整することができる。
【００４０】
ハードスイッチングが、いつ何時ハーフブリッジで起きようとも（開放フィラメント、ランプの取り外しなど）、電流検知抵抗（ＲＣＳ）の両端の電圧は、１．２５ボルトの内部閾値を超え、故障カウンターは、カウントを始める（図１２参照）。連続過電流故障の数が６０を超えると、ＩＣ１２は、故障モードに入り、ＨＯおよびＬОは、低くラッチされる。調光モード中に、寿命末期（ＥＯＬ）ウィンドウ比較器およびＤＣバスアンダー電圧レセットは、両方とも動作可能である。
【００４１】
ＳＤ／ＥＯＬおよびＣＳ故障モード（故障）
ＳＤ／ＥＯＬピンの電圧が調光モード中に３Ｖを超えるか、または１Ｖ未満に低下すると、寿命末期（ＥＯＬ）故障状態が起き、安定器制御ＩＣ１２は故障モードに入る。安定器制御ＩＣ内の寿命末期回路および処理は、出願人であるインターナショナル・レクティファイアー社の「多機能フィードバック検知を備える安定器制御ＩＣ」という発明の名称の２００４年６月２３日に提出の同時係属出願である米国特許出願１０／８７５４７４号に詳細に説明されており、この出願の全内容は、参照用として本明細書に組み込まれる。
【００４２】
故障モードでは、ＬОおよびＨＯドライバー出力は「低い」状態にラッチされる。ＣＰＨは、ＣＯＭに放電されて、予熱時間のリセットを可能にし、ＶＣＯは、周波数をリセットするためにＣＯＭに放電される。故障モードを終了させるために、ＶＣＣをＵＶＬＯ-（ＶＣＣＵＶ、安定器電源オフ）未満に低下させるか、またはＳＤピンを、５Ｖ（ランプの取り外し）を超えて増大させることができる。これらのどちらも、ＩＣをＵＶＬＯモードに入るように強制する（図５、状態図参照）。
【００４３】
ＶＣＣがＵＶＬＯ＋（ＶＣＣＵＶ＋、安定器電源オン）を超え、かつＳＤが５Ｖを超えて引き上げられ、３Ｖ（ランプの再挿入）未満に戻るとすぐに、ＩＣ１２は、予熱モードに入り、再び発振を始める。
【００４４】
ＣＳピンの電圧が、故障事象カウンター２８によって決定されるようにＬОの６０連続サイクルにわたって１．２５Ｖよりも大きかった後にだけ、電流検知機能は、ＩＣを故障モードに入るように強制する（図２参照）。ＣＳピンの電圧はＬОと論理積をとり（図１２参照）、従ってそれは、ＬОオンタイムまたはＤＣ中に発生するパルスで動作する。
【００４５】
過電流故障が連続的でない場合に、内部故障カウンターは、故障が無い各サイクルをカウントダウンする。過電流故障が、数サイクルだけにわたって発生し、再発生しないと、カウンターは最終的にゼロにリセットする。過電流故障カウンターは、予熱および作動モード中に動作可能であり、イグニションモードに動作不能である。
【００４６】
安定器設計式
注意：次の設計式の結果は、ＩＣ公差、部品公差、および内部比較器応答時間に因る発振器オーバーシュート、およびアンダーシュートによって、実際の測定と少し異なることがある。
【００４７】
段階１：最小周波数のプログラム
最小周波数は、上で述べたように、ＦＭＩＮピンにおけるタイミング抵抗ＲFMINを用いてプログラムされる。最小周波数は次式によって与えられる。
【数１】
2009512165.tif 000003
【数２】
2009512165.tif 000004
【００４８】
ＲＦＭＩＮ対周波数のグラフ（図１３）を用いて、所望の実行周波数に対するＲFMINを選択する。
【００４９】
段階２：予熱周波数のプログラム
予熱周波数はタイミング抵抗ＲFMINおよびＲPHを用いてプログラムされる。タイミング抵抗は予熱時間中並列に接続される。従って予熱周波数は次式によって与えられる。
【数３】
2009512165.tif 000005
【数４】
2009512165.tif 000006
【００５０】
ＲＦＭＩＮ対周波数のグラフ（図１３）を用いて、所望の予熱周波数に対するＲEQUIV値を選択する。ＲPHは、次式によって与えられる。
【数５】
2009512165.tif 000007
【００５１】
段階３：予熱時間のプログラム
予熱時間は、ピンＣＰＨにおける外部コンデンサが２／３*ＶＣＣまで充電するのに要する時間によって規定される。ＶＣＣに接続した外部抵抗（ＲCPH）は、コンデンサＣＰＨを充電する。従って予熱時間は、次式によって与えられる。
【数６】
2009512165.tif 000008
【数７】
2009512165.tif 000009
【００５２】
段階４：イグニションランプ時間のプログラム
イグニションランプ時間は、ピンＶＣОにおける外部コンデンサが２Ｖまで充電するのに要する時間によって規定される。ＦＭＩＮに接続した外部タイミング抵抗（ＲPH）は、コンデンサＣVCOを充電する。従って、イグニションランプ時間は次式によって与えられる。
【数８】
2009512165.tif 000010
【数９】
2009512165.tif 000011
【００５３】
段階５：最大イグニション電流のプログラム
最大イグニション電流は、外部抵抗ＲＣＳおよび１．２５Ｖの内部閾値を用いてプログラムされる。この閾値は、安定器の過電流限度を決定し、この限度は、周波数がイグニション中に共振に向って低下し、かつランプが点弧しない場合に達せられる。最大イグニション電流は、次式によって与えられる。
【数１０】
2009512165.tif 000012
【数１１】
2009512165.tif 000013
【００５４】
本明細書では、調光機能を提供する演算増幅器２２の使用について詳細に記述しているが、演算増幅器は、その他のほとんどの適切な機能に、同様に使用できることに留意する必要がある。例えば、演算増幅器２２は、ランプ電力を調整するために使用されてもよい。高輝度放電（ＨＩＤ）ランプ安定器のような、他の応用分野では、演算増幅器２２は、動作のウォームアップ段階中に、最大ランプ電流を調整するために使用されるのがよい。
【００５５】
以上本発明を、その特定の実施形態に関して説明したけれども、多くの他の変形例や変更態様、および他の用途が、当業者には明らかであると思う。従って本発明は、本明細書の特定の開示によってではなく、添付の特許請求の範囲によってのみ限定されるべきである。
【図面の簡単な説明】
【００５６】
【図１】本発明の安定器制御ＩＣの典型的な応用を示す回路図である。
【図２】図１の安定器制御ＩＣの略ブロック図である。
【図３】図１の安定器制御ＩＣの動作モードを示す状態図である。
【図４】図１の安定器制御ＩＣのリード配置および定義を示す。
【図５】図１の安定器制御ＩＣの安定器部分のタイミングチャートを示す。
【図６】起動および電源回路を示す。
【図７】起動中の電源電圧ＶCCの時間的変化を示すグラフである。
【図８】予熱回路を示す略ブロック図である。
【図９】予熱および発振機能に関するタイミングチャートである。
【図１０】イグニション回路を示す図である。
【図１１】イグニション調整に関するタイミングチャートである。
【図１２】故障カウンターのタイミングチャートである。
【図１３】等価抵抗対周波数のグラフである。
【符号の説明】
【００５７】
１０  回路
１２  安定器制御ＩＣ
１２ａ  安定器制御部分
１２ｂ  増幅器部分
１４  ランプ
２２  演算増幅器
２４  ＭＯＳＦＥＴ
２６  ＭＯＳＦＥＴ
ＣBS 供給コンデンサ
ＣPH 外部予熱タイミングコンデンサ
ＣSNUB スナバコンデンサ
ＣVCC1 コンデンサ
ＣVCC2 コンデンサ
ＣVCO コンデンサ
ＤCP2  電荷ポンプダイオード
ＨＯ  上側ドライバー出力
ＬО  下側ドライバー出力
Ｍ１  内部ＭＯＳＦＥＴ  
ＭＨＳ  ＭＯＳＦＥＴ
ＭＬＳ  ＭＯＳＦＥＴ
Ｒ1 抵抗
Ｒ2 抵抗
ＲCPH 抵抗
ＲEQUIV 抵抗
ＲFMIN 抵抗
ＲOUT 抵抗
ＲPH 抵抗
ＲＣＳ  外部電流検知抵抗
【図１】
2009512165.tif 000014
【図２】
2009512165.tif 000015
【図３】
2009512165.tif 000016
【図４】
2009512165.tif 000017
【図５】
2009512165.tif 000018
【図６】
2009512165.tif 000019
【図７】
2009512165.tif 000020
【図８】
2009512165.tif 000021
【図９】
2009512165.tif 000022
【図１０】
2009512165.tif 000023
【図１１】
2009512165.tif 000024
【図１２】
2009512165.tif 000025
【図１３】
2009512165.tif 000026
【国際調査報告】
2009512165.tif 000027